(57)【要約】【課題】利用者の購買傾向、嗜好を反映した広告を放送する。【解決手段】広告代理店サーバ１０４にて、携帯端末１０１から放送事業者サーバ１０３を介して送信されてきた商品に固有に付与された商品識別情報に基づいて、広告代理店サーバ１０４が有する、商品識別情報と特典情報とを対応付けて記憶するデータベースの中が検索されて特典情報が取得され、取得された特典情報が放送事業者サーバ１０３へ送信され、放送事業者サーバ１０３にて、広告代理店サーバ１０４から送信されてきた特典情報に基づいて広告が生成され、生成された広告が携帯端末１０１へ放送される。【選択図】図１
2009163679.tif 000002
【特許請求の範囲】
【請求項１】
携帯端末と、商品の広告を生成し、該広告を前記携帯端末へ放送する広告放送サーバと、前記広告を生成するための特典情報を前記広告放送サーバへ提供する広告情報サーバとから構成される広告配信システムにおいて、
前記広告情報サーバは、前記商品に固有に付与された商品識別情報と前記特典情報とを対応付けて記憶する特典情報データベースを有し、前記携帯端末から前記広告放送サーバを介して送信されてきた前記商品識別情報に基づいて、前記特典情報データベースを検索して前記特典情報を取得し、該特典情報を前記広告放送サーバへ送信し、
前記広告放送サーバは、前記広告情報サーバから送信されてきた特典情報に基づいて広告を生成し、該広告を前記携帯端末へ放送することを特徴とする広告配信システム。
【請求項２】
請求項１に記載の広告配信システムにおいて、
前記商品を販売する商品サーバを有し、
前記広告情報サーバは、前記商品サーバから前記広告放送サーバを介して送信されてきた前記商品識別情報に基づいて、前記特典情報データベースを検索して前記特典情報を取得し、該特典情報を前記広告放送サーバへ送信することを特徴とする広告配信システム。
【請求項３】
請求項１または請求項２に記載の広告配信システムにおいて、
前記広告情報サーバは、
前記商品識別情報に基づいて前記特典情報データベースから前記商品識別情報に対応付けられた前記特典情報を取得し、該特典情報を前記広告放送サーバへ送信する特典情報管理部を有することを特徴とする広告配信システム。
【請求項４】
請求項１乃至３のいずれか１項に記載の広告配信システムにおいて、
前記広告放送サーバは、
前記広告情報サーバから送信されてきた特典情報に基づいて広告を生成するコンテンツ生成部と、
前記コンテンツ生成部にて生成された広告を前記携帯端末へ放送する放送部とを有することを特徴とする広告配信システム。
【請求項５】
携帯端末と、商品の広告を生成し、該広告を前記携帯端末へ放送する広告放送サーバと、前記広告を生成するための特典情報を前記広告放送サーバへ提供する広告情報サーバとから構成される広告配信システムにおける広告配信方法であって、
前記広告情報サーバが、携帯端末から前記広告放送サーバを介して送信されてきた商品に固有に付与された商品識別情報に基づいて、当該広告情報サーバが有する、前記商品識別情報と前記特典情報とを対応付けて記憶する特典情報データベースを検索して前記特典情報を取得する処理と、
前記広告情報サーバが、前記取得した特典情報を前記広告放送サーバへ送信する処理と、
前記広告放送サーバが、前記広告情報サーバから送信されてきた特典情報に基づいて広告を生成する処理と、
前記広告放送サーバが、前記広告を前記携帯端末へ放送する処理とを有する広告配信方法。
【発明の詳細な説明】
【技術分野】
【０００１】
本発明は、広告を配信する広告配信システム及び広告配信方法に関し、特にモバイル放送を利用して広告を配信する広告配信システム及び広告配信方法に関する。
【背景技術】
【０００２】
近年、インターネットを利用して商品を販売するインターネット販売が急速に普及してきている。また、消費者に対して、このインターネットを利用して販売する商品の購入を促すために、インターネットを利用して当該商品に関わる広告の配信が行われている。
【０００３】
さらに、配信された広告を消費者が聴取することにより商品が販売された商品販売実績に基づいて、当該広告を配信した放送事業者が当該広告の広告料金を決定するシステムが考えられている（例えば、特許文献１参照。）。
【０００４】
この技術を用いることにより、配信された広告により、消費者が当該広告に記載された商品を購入することを促す効果がどの程度あるのかを実証することもできる。
【特許文献１】特開２００１−２３６４４３号公報
【発明の開示】
【発明が解決しようとする課題】
【０００５】
しかしながら、上述した技術においては、消費者の購買傾向や嗜好などを把握することができないため、配信される広告として当該消費者の購買傾向や嗜好などに適応した情報を配信することができないという問題点がある。
【０００６】
本発明は、上述した課題を解決する広告配信システム及び広告配信方法を提供することを目的とする。
【課題を解決するための手段】
【０００７】
上記目的を達成するために本発明は、
携帯端末と、商品の広告を生成し、該広告を前記携帯端末へ放送する広告放送サーバと、前記広告を生成するための特典情報を前記広告放送サーバへ提供する広告情報サーバとから構成される広告配信システムにおいて、
前記広告情報サーバは、前記商品に固有に付与された商品識別情報と前記特典情報とを対応付けて記憶する特典情報データベースを有し、前記携帯端末から前記広告放送サーバを介して送信されてきた前記商品識別情報に基づいて、前記特典情報データベースを検索して前記特典情報を取得し、該特典情報を前記広告放送サーバへ送信し、
前記広告放送サーバは、前記広告情報サーバから送信されてきた特典情報に基づいて広告を生成し、該広告を前記携帯端末へ放送することを特徴とする。
【０００８】
また、携帯端末と、商品の広告を生成し、該広告を前記携帯端末へ放送する広告放送サーバと、前記広告を生成するための特典情報を前記広告放送サーバへ提供する広告情報サーバとから構成される広告配信システムにおける広告配信方法であって、
前記広告情報サーバが、携帯端末から前記広告放送サーバを介して送信されてきた商品に固有に付与された商品識別情報に基づいて、当該広告情報サーバが有する、前記商品識別情報と前記特典情報とを対応付けて記憶する特典情報データベースを検索して前記特典情報を取得する処理と、
前記広告情報サーバが、前記取得した特典情報を前記広告放送サーバへ送信する処理と、
前記広告放送サーバが、前記広告情報サーバから送信されてきた特典情報に基づいて広告を生成する処理と、
前記広告放送サーバが、前記広告を前記携帯端末へ放送する処理とを有する。
【発明の効果】
【０００９】
以上説明したように本発明においては、広告情報サーバにて、携帯端末から広告放送サーバを介して送信されてきた商品に固有に付与された商品識別情報に基づいて、当該広告情報サーバが有する、商品識別情報と特典情報とを対応付けて記憶する特典情報データベースの中が検索されて特典情報が取得され、取得された特典情報が広告放送サーバへ送信され、広告放送サーバにて、広告情報サーバから送信されてきた特典情報に基づいて広告が生成され、生成された広告が携帯端末へ放送される構成としたため、利用者の購買傾向、嗜好を反映した広告を放送することができる。
【発明を実施するための最良の形態】
【００１０】
以下に、本発明の実施の形態について図面を参照して説明する。
【００１１】
図１は、本発明の広告配信システムの一形態を示す図である。
【００１２】
本形態は図１に示すように、携帯端末１０１と、販売店装置１０２と、放送事業者サーバ１０３と、広告代理店サーバ１０４とから構成されている。
【００１３】
携帯端末１０１は、一般的な無線通信機能と、電子決済機能と、モバイル放送を受信する機能とを有する端末である。さらに、携帯端末１０１は、モバイル放送を視聴した場合、その視聴履歴である視聴情報を記憶する。
【００１４】
販売店装置１０２は、放送事業者サーバ１０３から放送される広告に記載された商品を販売する販売店が有する商品サーバである。販売店装置１０２は、携帯端末１０１と、放送事業者サーバ１０３との間にてデータの送受信が可能である。
【００１５】
放送事業者サーバ１０３は、販売店装置１０２を用いて販売される商品が記載された広告を携帯端末１０１へモバイル放送するモバイル放送事業者が有する広告放送サーバである。
【００１６】
図２は、図１に示した放送事業者サーバ１０３の一構成例を示す図である。
【００１７】
図１に示した放送事業者サーバ１０３には図２に示すように、信号送受信部３０１と、顧客管理部３０２と、購入履歴管理部３０３と、個別コンテンツ生成部３０４と、放送部３０５と、放送履歴管理部３０６と、統合管理部３０７とが設けられている。
【００１８】
信号送受信部３０１は、販売店装置１０２及び広告代理店サーバ１０４との間にてデータの送受信を行う。
【００１９】
顧客管理部３０２は、顧客情報である携帯端末１０１を識別するために固有に付与された端末ＩＤを管理する。この顧客情報を管理するために、メモリ等の記憶素子を使用して顧客情報を記憶した顧客情報データベースを構成するものであっても良い。
【００２０】
購入履歴管理部３０３は、販売店装置１０２から送信されてきた端末ＩＤ、商品ＩＤ（商品を識別するために当該商品固有に付与されたＩＤ）及び携帯端末１０１によって当該商品が購入された購入日時を管理する。これら情報を管理するために、メモリ等の記憶素子を使用して当該情報を記憶した購入履歴情報データベースを構成するものであっても良い。また、販売店装置１０２から送信されてきた端末ＩＤと、顧客管理部３０２にて管理されている端末ＩＤとの照合を行う。
【００２１】
個別コンテンツ生成部３０４は、広告代理店サーバ１０４から送信されてきた特典情報に基づいて、当該特典情報の広告である個別コンテンツを生成する。
【００２２】
放送部３０５は、個別コンテンツ生成部３０４にて生成された個別コンテンツを、携帯端末１０１へモバイル放送する。また、モバイル放送した放送履歴情報を放送履歴管理部３０６へ出力する。ここで、放送履歴情報は、端末ＩＤ、放送日時及び特典情報が含まれる。
【００２３】
放送履歴管理部３０６は、放送部３０５から出力された放送履歴情報を管理する。この放送履歴情報を管理するために、メモリ等の記憶素子を使用して放送履歴情報を記憶した放送履歴情報データベースを構成するものであっても良い。
【００２４】
統合管理部３０７は、放送履歴管理部３０６にて管理されている特典情報と、携帯端末１０１から送信されてきた視聴情報とを比較し、その比較結果に基づいて広告効果情報を信号送受信部３０１を介して広告代理店サーバ１０４へ送信する。
【００２５】
また、広告代理店サーバ１０４は、販売店装置１０２を用いて販売される商品についての特典情報を管理し、特典情報を放送事業者サーバ１０３へ提供する広告情報サーバである。また、当該広告の広告料金を算出する。
【００２６】
図３は、図１に示した広告代理店サーバ１０４の一構成例を示す図である。
【００２７】
図１に示した広告代理店サーバ１０４には図３に示すように、送受信部４０１と、特典情報管理部４０２と、特典情報データベース４０３と、従量広告料金算出部４０４とが設けられている。
【００２８】
送受信部４０１は、放送事業者サーバ１０３との間にてデータの送受信を行うインタフェース部である。
【００２９】
特典情報データベース４０３は、販売店装置１０２を用いて販売される商品と、その商品についての特典情報とを対応付けて記憶する。
【００３０】
図４は、図３に示した特典情報データベース４０３の一構造例を示す図である。
【００３１】
図３に示した特典情報データベース４０３の構造は図４に示すように、販売店装置１０２を用いて販売される商品それぞれに固有に付与された識別情報である商品ＩＤと、当該商品についての特典情報とが対応付けられて記憶されている。例えば、商品ＩＤ「ＺＺＺ−１１００」と特典情報「ＺＺＺ」とが対応付けられて記憶されている。これは、商品ＩＤが「ＺＺＺ−１１００」である商品についての特典情報が「ＺＺＺ」であることを示している。また、商品ＩＤ「ＺＺＺ−１１０１」と特典情報「ＺＺＺ」とが対応付けられて記憶されている。これは、商品ＩＤが「ＺＺＺ−１１０１」である商品についての特典情報が「ＺＺＺ」であることを示している。また、商品ＩＤ「ＺＺＺ−１１０２」と特典情報「ＺＺＺ」とが対応付けられて記憶されている。これは、商品ＩＤが「ＺＺＺ−１１０２」である商品についての特典情報が「ＺＺＺ」であることを示している。また、商品ＩＤ「ＸＸＸ−１１００」と特典情報「ＸＸＸ」とが対応付けられて記憶されている。これは、商品ＩＤが「ＸＸＸ−１１００」である商品についての特典情報が「ＸＸＸ」であることを示している。また、商品ＩＤ「ＸＸＸ−１１０１」と特典情報「ＸＸＸ」とが対応付けられて記憶されている。これは、商品ＩＤが「ＸＸＸ−１１０１」である商品についての特典情報が「ＸＸＸ」であることを示している。また、商品ＩＤ「ＸＸＸ−１１０２」と特典情報「ＸＸＸ」とが対応付けられて記憶されている。これは、商品ＩＤが「ＸＸＸ−１１０２」である商品についての特典情報が「ＸＸＸ」であることを示している。また、商品ＩＤ「ＸＸＸ−１１０３」と特典情報「ＸＸＸ」とが対応付けられて記憶されている。これは、商品ＩＤが「ＸＸＸ−１１０３」である商品についての特典情報が「ＸＸＸ」であることを示している。また、商品ＩＤ「ＸＸＸ−１１０４」と特典情報「ＸＸＸ」とが対応付けられて記憶されている。これは、商品ＩＤが「ＸＸＸ−１１０４」である商品についての特典情報が「ＸＸＸ」であることを示している。
【００３２】
ここで、特典情報とは、対応付けられた商品ＩＤが付与された商品と関連する商品の情報である。例えば、商品ＩＤが「ＺＺＺ−１１００」である商品が男性用スーツである場合、特典情報「ＺＺＺ」には、当該男性用スーツに合う、新作の靴、鞄、ネクタイ等の情報が含まれる。これらの商品を広告するのに必要な画像や価格（定価、特別価格、値引率等）の情報が含まれる。
【００３３】
特典情報管理部４０２は、特典情報データベース４０３を管理する。
【００３４】
従量広告料金算出部４０４は、放送事業者サーバ１０３から送信されてきた広告効果情報に基づいて、当該広告の広告料金を算出（決定）する。
【００３５】
以下に、上述した広告配信システムにおける広告配信方法について説明する。
【００３６】
まずは、図１に示した携帯端末１０１を所有する利用者が、図１に示した広告配信システムを初めて利用する場合の広告配信方法について説明する。
【００３７】
図５は、図１に示した広告配信システムにおける広告配信方法のうち、図１に示した携帯端末１０１を所有する利用者が、図１に示した広告配信システムを初めて利用する場合の広告配信方法を説明するためのシーケンス図である。
【００３８】
まず、初期設定として、当該利用者が放送事業者と契約するために、携帯端末１０１から放送事業者サーバ１０３へ携帯端末１０１の端末ＩＤを送信し、送信された端末ＩＤが顧客管理部３０２に記憶されることにより、携帯端末１０１の端末ＩＤが顧客管理部３０２に登録される。この登録については、一般的なユーザ登録と同じであるため、登録方法の詳細についてはここでは説明しない。
【００３９】
上述した初期設定が完了した後、利用者が携帯端末１０１から販売店装置１０２にアクセスを行い、所望の商品を購入するための操作として端末ＩＤと当該商品の商品ＩＤを携帯端末１０１に入力する。すると、入力された端末ＩＤと商品ＩＤと当該商品の購入日時とが携帯端末１０１から販売店装置１０２へ送信される（ステップＳ１）。これは、一般的に用いられているインターネットを用いる商品購入方法と同じである。ここで、購入日時とは、利用者が当該商品を購入した日時、つまり、携帯端末１０１から端末ＩＤと商品ＩＤとが販売店装置１０２へ送信された日時である。
【００４０】
携帯端末１０１から送信された端末ＩＤと商品ＩＤとが販売店装置１０２にて受信されると、当該端末ＩＤと、当該商品ＩＤと、当該購入日時とが販売店装置１０２から放送事業者サーバ１０３へ送信される（ステップＳ２）。
【００４１】
販売店装置１０２から送信された端末ＩＤと、商品ＩＤと、購入日時とが、放送事業部サーバ１０３の信号送受信部３０１にて受信されると、購入履歴管理部３０３によって、受信された端末ＩＤと顧客管理部３０２に登録されている端末ＩＤとが照合される（ステップＳ３）。つまり、携帯端末１０１と放送事業者サーバ１０３との間に契約関係があるかどうかが判断される。また、当該端末ＩＤと、当該商品ＩＤと、当該購入日時とが、購入履歴管理部３０３に記憶される。
【００４２】
この照合の結果、受信された端末ＩＤと顧客管理部３０２に登録されている端末ＩＤとが一致した場合、購入履歴管理部３０３から信号送受信部３０１を介して広告代理店サーバ１０４へ商品ＩＤが送信される（ステップＳ４）。
【００４３】
放送事業者サーバ１０３から送信された商品ＩＤが広告代理店サーバ１０４の送受信部４０１にて受信されると、特典情報管理部４０２によって受信された商品ＩＤに基づいて特典情報データベース４０３から特典情報が検索される。検索の結果、当該商品ＩＤに対応付けられた特典情報が検出された場合、特典情報管理部４０２によって当該特典情報が取得される（ステップＳ５）。
【００４４】
特典情報管理部４０２によって特典情報が取得されると、取得された特典情報が送受信部４０１から放送事業者サーバ１０３へ送信される（ステップＳ６）。
【００４５】
広告代理店サーバ１０４から送信された特典情報が放送事業者サーバ１０３の信号送受信部３０１にて受信されると、個別コンテンツ生成部３０４にて特典情報に基づいて個別コンテンツが生成される（ステップＳ７）。ここで生成される個別コンテンツは、特典情報に含まれる商品を広告するための当該商品の画像や価格の情報を表示するためのものである。
【００４６】
個別コンテンツ生成部３０４にて生成された個別コンテンツは、放送部３０５から携帯端末１０１へ放送される（ステップＳ８）。
【００４７】
放送された個別コンテンツが携帯端末１０１にて視聴された場合、当該個別コンテンツが視聴された旨を示す情報が視聴情報として携帯端末１０１に記憶される（ステップＳ９）。この視聴情報には、特典情報が含まれる。
【００４８】
また、放送履歴管理部３０６に、放送した特典情報と、当該特典情報を放送した対象の端末ＩＤと、放送日時とが記憶される（ステップＳ１０）。
【００４９】
次に、図１に示した携帯端末１０１を所有する利用者が、図１に示した広告配信システムを過去に利用したことがある場合の広告配信方法について説明する。
【００５０】
図６は、図１に示した広告配信システムにおける広告配信方法のうち、図１に示した広告配信システムを過去に利用したことがある場合の広告配信方法を説明するためのシーケンス図である。
【００５１】
利用者が携帯端末１０１から販売店装置１０２にアクセスを行い、所望の商品を購入するための操作として端末ＩＤと当該商品の商品ＩＤを携帯端末１０１に入力する。すると、ステップＳ１と同様に、入力された端末ＩＤと商品ＩＤと当該商品の購入日時とが携帯端末１０１から販売店装置１０２へ送信される。このとき、携帯端末１０１に記憶されている視聴情報も送信される（ステップＳ１１）。
【００５２】
携帯端末１０１から送信された端末ＩＤと商品ＩＤと視聴情報と購入日時とが販売店装置１０２にて受信されると、当該端末ＩＤと、当該商品ＩＤと、当該視聴情報と、当該購入日時とが販売店装置１０２から放送事業者サーバ１０３へ送信される（ステップＳ１２）。
【００５３】
その後、上述したステップＳ３〜Ｓ１０までの処理が行われる。
【００５４】
放送事業者サーバ１０３にてステップＳ１０の処理が行われると、ステップＳ１２にて販売店装置１０２から送信されてきた端末ＩＤに基づいて、ステップＳ１０にて放送履歴管理部３０６に記憶された特典情報が統合管理部３０７によって取得される（ステップＳ１３）。
【００５５】
そして、統合管理部３０７によって取得された特典情報と、ステップＳ１２にて販売店装置１０２から送信されてきた視聴情報に含まれる特典情報とが、統合管理部３０７にて比較される（ステップＳ１４）。
【００５６】
ステップＳ１４の処理にて、特典情報と視聴情報に含まれる特典情報とが一致した場合、放送した個別コンテンツである広告による広告効果があった旨を示す広告効果情報が統合管理部３０７から信号送受信部３０１を介して広告代理店サーバ１０４へ送信される（ステップＳ１５）。
【００５７】
放送事業者サーバ１０３から送信された広告効果情報が広告代理店サーバ１０４の送受信部４０１にて受信されると、当該広告効果情報に基づいて従量広告料金算出部４０４にて広告料金が算出される（ステップＳ１６）。
【００５８】
例えば、視聴情報に視聴回数が含まれるものであっても良い。その場合、広告効果情報に視聴回数を含んでおき、従量広告料金算出部４０４にて視聴回数に基づいて広告料金が算出されるものであっても良い。また、購入履歴管理部３０３に記憶された情報から購入回数を広告効果情報に含んでおき、従量広告料金算出部４０４にて購入回数に基づいて広告料金が算出されるものであっても良い。
（実施例）
実際の処理の流れとして、放送事業者サーバ１０３を有する放送事業者と端末契約を結んだ携帯端末１０１（端末ＩＤ：ＡＢＣＣＣ）との電子決済で、販売店装置１０２を有する販売店で男性用スーツ（商品ＩＤ：ＺＺＺ−１１００）を購入した場合を例に挙げて説明する。
【００５９】
２００７年４月２日、放送事業者サーバ１０３に購入情報提供を行う販売店装置１０２にて、携帯端末１０１を用いて電子決済でスーツ（商品ＩＤ：ＺＺＺ−１１００）を購入した。この時、携帯端末１０１の電子決済により、販売店装置１０２へ購入情報［ＡＢＣＣＣ：ＺＺＺ−１１００：２００７／４／２］（２００７／４／２に端末ＩＤ：ＡＢＣＣＣが商品ＩＤ：ＺＺＺ−１１００のスーツを購入した）が送信される（ステップＳ１）。
【００６０】
販売店装置１０２から放送事業者サーバ１０３へ購入情報［ＡＢＣＣＣ：ＺＺＺ−１１００：２００７／４／２］が送信され（ステップＳ２）、放送事業者サーバ１０３の購入履歴管理部３０３に購入情報［ＡＢＣＣＣ：ＺＺＺ−１１００：２００７／４／２］が記憶される。
【００６１】
その後、放送事業者サーバ１０３の購入履歴管理部３０３に記憶された購入情報［ＡＢＣＣＣ：ＺＺＺ−１１００：２００７／４／２］の中から、端末ＩＤ：ＡＢＣＣＣが抽出され、その端末ＩＤが放送事業者サーバ１０３と既に契約関係にあるか否かが、顧客管理部３０２を用いて購入履歴管理部３０３によって照合される（ステップＳ３）。
【００６２】
放送事業者サーバ１０３と携帯端末１０１とに端末契約が存在すると、放送事業者サーバ１０３の信号送受信部３０１から広告代理店サーバ１０４へ購入情報［ＡＢＣＣＣ：ＺＺＺ−１１００：２００７／４／２］から抽出された商品ＩＤ［ＺＺＺ−１１００］が送信される（ステップＳ４）。
【００６３】
放送事業者サーバ１０３から送信されてきた商品ＩＤ［ＺＺＺ−１１００］に基づいて、それに対応する特典情報（新作商品情報）［ＺＺＺ］が特典情報管理部４０２によって特典情報データベース４０３から検索されて取得される（ステップＳ５）。ここで、特典情報［ＺＺＺ］は、購入したスーツ［ＺＺＺ−１１００］に関連する商品の情報（例えば、購入したスーツに似合う新作の鞄、靴、ネクタイなどの情報）である。
【００６４】
取得された特典情報［ＺＺＺ］が、広告代理店サーバ１０４から放送事業者サーバ１０３へ送信される（ステップＳ６）。
【００６５】
広告代理店サーバ１０４から送信された特典情報［ＺＺＺ］と、購入履歴管理部３０３に記憶されている端末ＩＤ：ＡＢＣＣＣ、商品ＩＤ：ＺＺＺ−１１００とに基づいて、個別コンテンツ生成部３０４にて、個別コンテンツ［ＡＢＣＣＣ：２００７／４／１０：ＺＺＺ］を作成が生成される（ステップＳ７）。
【００６６】
そして、生成された個別コンテンツ［ＡＢＣＣＣ：２００７／４／１０：ＺＺＺ］が携帯端末１０１へ放送される（２００７／４／１０は予定放送日時であり、購入日時２００７／４／２よりも過去に遡らず、かつ購入日時より２週間以上日を空けない限りにおいて任意のものとする）（ステップＳ８）。
【００６７】
また、放送履歴管理部３０６に個別コンテンツ［ＡＢＣＣＣ：２００７／４／１０：ＺＺＺ］が記憶される（ステップＳ１０）。
【００６８】
一方、携帯端末１０１にて、個別コンテンツ［ＡＢＣＣＣ：２００７／４／１０：ＺＺＺ］が視聴されたとする。視聴された個別コンテンツは視聴情報［ＡＢＣＣＣ：２００７／４／１０：ＺＺＺ’］として携帯端末１０１に記憶される（ステップＳ９）。ここで、「’」は実際に同個別コンテンツが視聴されたことを示す。
【００６９】
以下、２回目以降の商品の購入の処理である。
【００７０】
携帯端末１０１の電子決済機能を用いて、２００７年４月２０日に販売店装置１０２でネクタイ（商品ＩＤ：ＺＺＺ−１１０１）を購入すると、携帯端末１０１から販売店装置１０２へ購入情報［ＡＢＣＣＣ：ＺＺＺ−１１０１：２００７／４／２０］、ならびに視聴情報［ＡＢＣＣＣ：２００７／４／１０：ＺＺＺ’］が送信される（ステップＳ１１）。
【００７１】
すると、販売店装置１０２から放送事業者サーバ１０３へ購入情報［ＡＢＣＣＣ：ＺＺＺ−１１０１：２００７／４／２０］と視聴情報［ＡＢＣＣＣ：２００７／４／１０：ＺＺＺ’］とが送信される（ステップＳ１２）。
【００７２】
そして、放送事業者サーバ１０３の購入履歴管理部３０３に、端末ＩＤがいずれもＡＢＣＣＣである複数の購入情報と視聴情報とが記憶される（［ＡＢＣＣＣ：ＺＺＺ−１１００：２００７／４／２］［ＡＢＣＣＣ：ＺＺＺ−１１０１：２００７／４／２０］［ＡＢＣＣＣ：２００７／４／１０：ＺＺＺ’］）。
【００７３】
購入履歴管理部３０３から複数の購入履歴を持つ同一の端末ＩＤであるＡＢＣＣＣの購入情報［ＡＢＣＣＣ：ＺＺＺ−１１０１：２００７／４／２０］と視聴情報である［ＡＢＣＣＣ：２００７／４／１０：ＺＺＺ’］とが統合管理部３０７へ出力される。
【００７４】
放送履歴管理部３０６にて端末ＩＤ：ＡＢＣＣＣ宛に送られた放送が照会され、個別コンテンツ［ＡＢＣＣＣ：２００７／４／１０：ＺＺＺ］が抽出される（ステップＳ１３）。このことにより、統合管理部３０７に、端末ＩＤ：ＡＢＣＣＣ宛てに放送された個別コンテンツ［ＡＢＣＣＣ：２００７／４／１０：ＺＺＺ］と、視聴情報［ＡＢＣＣＣ：２００７／４／１０：ＺＺＺ’］と、購入情報［ＡＢＣＣＣ：ＺＺＺ−１１０１：２００７／４／２０］とが集められる。個別コンテンツ［ＡＢＣＣＣ：２００７／４／１０：ＺＺＺ］と視聴情報［ＡＢＣＣＣ：２００７／４／１０：ＺＺＺ’］とを比較することにより（ステップＳ１４）、放送事業者サーバ１０３から端末ＩＤ：ＡＢＣＣＣである携帯端末１０１へ送信されたモバイル放送が実際に視聴されたことの裏付けが取れる。さらに視聴情報［ＡＢＣＣＣ：２００７／４／１０：ＺＺＺ’］と購入情報［ＡＢＣＣＣ：ＺＺＺ−１１０１：２００７／４／２０］とから、特典情報［ＺＺＺ］を見た（２００７／４／１０）ことによってネクタイ（ＺＺＺ−１１０１）の購買（２００７／４／２０）が促されたことが時系列的にも証明される。
【００７５】
その後、放送事業者サーバ１０３から広告代理店サーバ１０４へ広告効果情報［ＡＢＣＣＣ：２００７／４／１０：ＺＺＺ’，２００７／４／２０：ＺＺＺ−１１０１］が送信されることで（ステップＳ１５）、端末ＩＤ：ＡＢＣＣＣの携帯端末１０１にて４／１０にＺＺＺという特典情報［ＺＺＺ］（新作商品情報）が視聴された［ＺＺＺ’］ことが、２００７年４月２０日にネクタイ［ＺＺＺ−１１０１］の購買に繋がったことが証明される。
【００７６】
そして、広告代理店サーバ１０４にて、広告効果情報に基づいて従量制の広告料金が算出される（ステップＳ１６）。例えば、１回の視聴、購入に対して１００円、複数回購入した場合には回数に応じて５パーセント（１回につき）の割り増しなどといった算出方法で算出される。この算出方法については、ここでは限定しない。
【００７７】
上述したように本発明においては、利用者の購買傾向、嗜好を反映した広告を放送することが可能となり、利用者に応じた販売促進の効率化を実現することができる。また、放送した広告により、どの程度の購入効果があるのかを実証することが可能となる。
【図面の簡単な説明】
【００７８】
【図１】本発明の広告配信システムの一形態を示す図である。
【図２】図１に示した放送事業者サーバの一構成例を示す図である。
【図３】図１に示した広告代理店サーバの一構成例を示す図である。
【図４】図３に示した特典情報データベースの一構造例を示す図である。
【図５】図１に示した広告配信システムにおける広告配信方法のうち、図１に示した携帯端末を所有する利用者が、図１に示した広告配信システムを初めて利用する場合の広告配信方法を説明するためのシーケンス図である。
【図６】図１に示した広告配信システムにおける広告配信方法のうち、図１に示した広告配信システムを過去に利用したことがある場合の広告配信方法を説明するためのシーケンス図である。
【符号の説明】
【００７９】
１０１    携帯端末
１０２    販売店装置
１０３    放送事業者サーバ
１０４    広告代理店サーバ
３０１    信号送受信部
３０２    顧客管理部
３０３    購入履歴管理部
３０４    個別コンテンツ生成部
３０５    放送部
３０６    放送履歴管理部
３０７    統合管理部
４０１    送受信部
４０２    特典情報管理部
４０３    特典情報データベース
４０４    従量広告料金算出部
【図１】
2009163679.tif 000003
【図２】
2009163679.tif 000004
【図３】
2009163679.tif 000005
【図４】
2009163679.tif 000006
【図５】
2009163679.tif 000007
【図６】
2009163679.tif 000008